(57)【特許請求の範囲】
【請求項１】
腸骨管のための非回転式骨除去具であって、
ａ）骨を前記腸骨管から除去して骨孔を形成するように構成されている骨除去面と、
ｂ）前記骨除去面を前記腸骨管内に位置決めするように構成されている位置決め部分と、
を備えている前記非回転式骨除去具において、
前記骨除去面が、前記骨除去面が前記骨孔を前記腸骨管内に形成するように、及び前記骨除去面が皮質骨に当接するように、前記位置決め部分に対して相対的に構成されていることを特徴とする非回転式骨除去具。
【請求項２】
前記位置決め部分が、カニューレを受容するように構成されている中空部分であることを特徴とする請求項１に記載の非回転式骨除去具。
【請求項３】
前記骨除去面が、手術前の画像から形成されていることを特徴とする請求項１又は２に記載の非回転式骨除去具。
【請求項４】
前記骨除去面が、不規則な形状を形成し且つ共に結合されている複数の部分から形成されていることを特徴とする請求項１又は３に記載の非回転式骨除去具。
【請求項５】
前記非回転式骨除去具が、モジュール式除去面それぞれが独立して前記非回転式骨除去具に取り付け可能とされるように、複数の前記モジュール式除去面を備えており、
前記骨孔が、一連の嵌入ステップにおいて形成される複数の前記モジュール式除去面の組み合わせによって形成されていることを特徴とする請求項１又は３に記載の非回転式骨除去具。
【請求項６】
ヒトを除く動物の腸骨の寛骨臼内において寛骨臼の関節形成術を実施するための方法において、
ａ）腸骨の腸骨管であって、前記寛骨臼の表面から概略的に腸骨稜の一部分に向かって延在している前記腸骨管を配置するステップと、
ｂ）請求項１〜５のいずれか一項に記載の非回転式骨除去具が前記腸骨管内の骨を除去して骨孔を形成するように、前記腸骨管に沿って位置決めされている前記非回転式骨除去具を嵌入するステップと、
ｃ）前記腸骨管の前記骨孔内に固定式インプラントを固定するステップと、
ｄ）前記固定式インプラントを覆うように寛骨臼インプラントを前記寛骨臼内に据え付けるステップと、
を備えていることを特徴とする方法。
【請求項７】
前記腸骨管を配置するステップが、カニューレを前記腸骨管に挿入するステップを備えていることを特徴とする請求項６に記載の方法。
【請求項８】
前記腸骨管を配置するステップが、前記腸骨を覆うように腸骨探索用ジグを位置決めするステップを備えていることを特徴とする請求項６又は７に記載の方法。
【請求項９】
前記腸骨探索用ジグが、第１の部分と第２の部分と位置合わせ用ガイドとを備えており、
前記腸骨探索用ジグを位置決めするステップが、前記位置合わせ用ガイドが前記腸骨管の軸線に沿って位置合わせされるように、
前記腸骨探索用ジグの前記第１の部分を前記寛骨臼の一部分に対して位置決めするステップと、
前記腸骨探索用ジグの前記第２の部分を前記腸骨稜の一部分に対して位置決めするステップと、
を備えていることを特徴とする請求項８に記載の方法。
【請求項１０】
前記非回転式骨除去具を嵌入するステップが、皮質骨に隣り合っている骨孔を形成するステップを備えていることを特徴とする請求項６又は７に記載の方法。
【請求項１１】
前記非回転式骨除去具を嵌入するステップが、複数の前記非回転式骨除去具を嵌入するステップを備えていることを特徴とする請求項６又は１０に記載の方法。
【請求項１２】
前記非回転式骨除去具を嵌入するステップが、複数の異なる大きさの前記非回転式骨除去具を嵌入するステップを備えていることを特徴とする請求項６又は１１に記載の方法。
【請求項１３】
前記固定式インプラントを固定するステップが、前記固定式インプラントを前記腸骨管の骨孔内に接合するステップを備えていることを特徴とする請求項６又は１１に記載の方法。
【請求項１４】
前記寛骨臼インプラントが、寛骨臼カップであることを特徴とする請求項６又は１３に記載の方法。
【請求項１５】
寛骨臼要素が、寛骨臼ケージであることを特徴とする請求項６又は１３に記載の方法。
【発明の詳細な説明】
【技術分野】
【０００１】
［関連出願の相互参照］
本願は、２００８年１２月２日付にて出願され、発明の名称が“Iliac Canal Prothesis”である米国仮特許出願第６１／１１９，２１０号明細書に基づく優先権を主張するものである。当該特許出願の開示内容全体が、参照によって本願に組み込まれている。
【０００２】
本願は、一般に、寛骨臼インプラントを固定するために寛骨（acetabular bone）を準備する方法に関し、より具体的には、被回転式切断手段を利用することによって寛骨臼を準備する方法に関する。さらに、本発明は、ブローチ及びラスプを利用することによって寛骨臼オーグメントを腸骨管に固定するための方法に関する。
【背景技術】
【０００３】
従来、腸骨管は、人工寛骨臼を指示する表面を骨盤骨に堅固に固定するために利用されてきた。このようなプロテーゼは、関節接合面を有しているカップに固定されているネジステムを利用しており、先行技術では“環状プロテーゼ（Ring prostheses）”と呼称されていた。環状プロテーゼは、一般に一体成形品（monolithic）であり、金属から作られていた。また、金属上に接合されていないポリエチレンが配設された（uncemented polyethylene-on-metal; UPM）人工股関節が、腸骨管に固定するために利用されている。ＵＰＭ人工股関節が、上述のすべてが金属で作られた環状プロテーゼの後継品であった。
【０００４】
この目的を達成するために、固定するために腸骨管を利用するすべての現行の人工寛骨臼は、外科医にモジュール方式、手術中の選択肢、及び／又は器具の選択を与えるものではない。さらに、先行技術における固定するために腸骨管を利用するこのような人工寛骨臼のための寛骨臼の手術は、例えば半球状リーマ、ドリルビット、リーマやネジのような回転式切除手段を必要としてきた。
【発明の概要】
【発明が解決しようとする課題】
【０００５】
上述の必要性が、本発明における幾つかの実施態様によって満たされる。
【課題を解決するための手段】
【０００６】
本発明の一の実施態様では、腸骨の髄内管の少なくとも一部分を係合するように構成されている寛骨臼インプラントを受容するための寛骨臼領域を準備するための方法が提供される。当該方法は、寛骨臼インプラントを受容するための腸骨の髄内表面を準備するために骨を除去するための少なくとも１つの非回転式手段を利用するステップを備えている。インプラントは、例えば寛骨臼プロテーゼのステム部分、又は寛骨臼プロテーゼを安定化させるためのオーグメントである。
【０００７】
本発明の他の実施態様では、腸骨の髄内管の一部分を手術するための手術具が準備される。準備される手術具は、腸骨を除去するための非回転式手段として機能するブローチ又はラスプとして構成されている。
【０００８】
本発明のさらなる他の実施態様では、腸骨の寛骨臼内において寛骨臼の関節形成術を実施するための方法が提供される。当該方法は、腸骨の腸骨管を配置するステップを含んでいる。腸骨管は、寛骨臼の表面から概略的に腸骨稜の一部分に向かって延在している。嵌入ステップは、非回転式骨除去具が腸骨管内において骨を除去すると共に骨孔を形成するように、腸骨管に沿って位置合わせされている非回転式骨除去具を嵌入する。他のステップは、固定式インプラントを腸骨の骨孔内に固定する。寛骨臼インプラントは、固定式インプラントを覆うように寛骨臼内に据え付けられる。
【０００９】
他の実施態様は、腸骨に挿入するステップを備えている配置ステップを提供する。
【００１０】
他の実施態様では、配置ステップは、腸骨を覆うように腸骨管探索用ジグを位置決めするステップを備えている。
【００１１】
さらなる他の実施態様では、腸骨管探索用ジグが、第１の部分と第２の部分と位置合わせ用ガイドとを備えており、腸骨探索用ジグを位置決めするステップが、位置合わせ用ガイドが腸骨管の軸線に沿って位置合わせされるように、腸骨探索用ジグの第１の部分を寛骨臼の一部分に対して位置決めするステップと、腸骨探索用ジグの第２の部分を腸骨稜の一部分に対して位置決めするステップと、を備えている。
【００１２】
さらなる他の実施態様は、皮質骨によって囲まれている骨孔を形成するステップを備えている。
【００１３】
他の実施態様では、嵌入ステップは、複数の非回転式骨除去具を嵌入するステップを備えている。
【００１４】
さらなる他の実施態様では、嵌入ステップが、複数の異なる大きさの前記非回転式骨除去具を嵌入するステップを備えている。
【００１５】
固定ステップが、固定式インプラントを腸骨管の骨孔内に接合するステップを備えている。
【００１６】
他の実施態様では、寛骨臼インプラントが寛骨臼カップである。
【００１７】
さらなる他の実施態様では、寛骨臼要素が寛骨臼ケージである。
【００１８】
他の実施態様は、腸骨管のための非回転式骨除去具を提供する。非回転式骨除去具は、骨を腸骨管から除去すると共に骨孔を形成するように構成されている骨除去面を含んでいる。位置決め部分は、骨除去面を腸骨管内に位置決めするように構成されている。骨除去面が、骨除去面が骨孔を腸骨管内に形成するように、及び骨除去面が皮質骨に当接するように、位置決め部分に対して相対的に構成されている。
【００１９】
さらなる他の実施態様では、位置決め部分が、カニューレを受容するように構成されている中空部分である。
【００２０】
さらなる他の実施態様では、骨除去面が、手術前の画像から形成されている。
【００２１】
さらなる他の実施態様では、骨除去面が、不規則な形状を形成し且つ共に結合されている複数の部分から形成されている。
【００２２】
さらなる他の実施態様では、非回転式骨除去具が、モジュール式除去面それぞれが独立して非回転式骨除去具に取り付け可能とされるように、複数のモジュール式除去面を備えている。骨孔が、一連の嵌入ステップにおいて形成される複数のモジュール式除去面の組み合わせによって形成されている。
【００２３】
本発明の適用可能なさらなる領域は、本明細書における以下の発明の詳細な説明から明らかになる。発明の詳細な説明及び例示が、本発明の特定の実施例を示す一方、図示することのみを意図し、本発明の技術的範囲を限定することを意図しないことに留意すべきである。
【００２４】
本願に組み込まれると共に本明細書の一部分を形成する添付図面は、本発明の実施例を表わし、記述された説明と共に本発明の原理、特性、及び特徴を説明するものである。
【図面の簡単な説明】
【００２５】
【図１ａ】一の実施例における寛骨臼領域を準備する方法を表わす。
【図１ｂ】一の実施例における寛骨臼領域を準備する方法を表わす。
【図１ｃ】一の実施例における寛骨臼領域を準備する方法を表わす。
【図１ｄ】一の実施例における寛骨臼領域を準備する方法を表わす。
【図１ｅ】一の実施例における寛骨臼領域を準備する方法を表わす。
【図１ｆ】一の実施例における寛骨臼領域を準備する方法を表わす。
【図１ｇ】一の実施例における寛骨臼領域を準備する方法を表わす。
【図１ｈ】一の実施例における寛骨臼領域を準備する方法を表わす。
【図１ｉ】一の実施例における寛骨臼領域を準備する方法を表わす。
【図１ｊ】一の実施例における寛骨臼領域を準備する方法を表わす。
【図２ａ】他の実施例における寛骨臼領域を準備する方法を表わす。
【図２ｂ】他の実施例における寛骨臼領域を準備する方法を表わす。
【図２ｃ】他の実施例における寛骨臼領域を準備する方法を表わす。
【図２ｄ】他の実施例における寛骨臼領域を準備する方法を表わす。
【図２ｅ】他の実施例における寛骨臼領域を準備する方法を表わす。
【図２ｆ】他の実施例における寛骨臼領域を準備する方法を表わす。
【図２ｇ】他の実施例における寛骨臼領域を準備する方法を表わす。
【図２ｈ】他の実施例における寛骨臼領域を準備する方法を表わす。
【図２ｉ】他の実施例における寛骨臼領域を準備する方法を表わす。
【図２ｊ】他の実施例における寛骨臼領域を準備する方法を表わす。
【図３】腸骨の腸骨管領域と以前から存在する大腿骨インプラントと表わす部分的に再構築された股関節部の前方斜視図である。
【図４】図１ａ〜図２ｊに表わす方法のうち１つ以上の方法を利用することによって移植された本発明の一の実施例における寛骨臼プロテーゼを有している、完全に再構築された股関節部の前方斜視図である。
【図５ａ】腸骨を除去するための非回転式手段のための様々な断面形状のうち幾つかの例を表わす。
【図５ｂ】腸骨を除去するための非回転式手段のための様々な挿入された断面形状のうち幾つかの例を表わす。
【図６】本発明の幾つかの実施例における遠位において収束するようにテーパ状になっているブローチの等角投影図である。
【図７】切削面を有している本発明の幾つかの実施例におけるブローチの等角投影図である。
【図８】本発明の幾つかの実施例における遠位において収束するように湾曲しテーパ状になっているブローチの等角投影図である。
【図９】本発明の幾つかの実施例における湾曲しテーパ状になっているブローチの等角投影図である。
【図１０】本発明の幾つかの実施例におけるブローチ又はラスプの形状を表わす。
【図１１】本発明の幾つかの実施例におけるブローチ又はラスプの形状を表わす。
【図１２】本発明の幾つかの実施例におけるブローチ又はラスプの形状を表わす。
【図１３】本発明の幾つかの実施例におけるブローチ又はラスプの形状を表わす。
【図１４ａ】腸骨の第１の側面において腸骨管内に一時的又は永続的に移植するための、解剖学的に形成されたオーグメント又はトライアルの一例を表わす。
【図１４ｂ】第１の側面とは異なる腸骨の第２の側面において腸骨管を手術するための、解剖学的に形成されたブローチ又はラスプの一例を表わす。
【図１５】リーマを利用する本発明の幾つかの実施例における方法ステップを表わす概略的なフロー図である。
【図１６】本発明の幾つかの実施例における方法ステップを表わす概略的なフロー図である。
【図１７】優位にはコンピュータ支援手術（ＣＡＳ）システムと共に利用される、管探索用ロッドを挿入するためのジグを表わす。
【図１８】幾つかの実施例における管探索用ロッドを挿入するためのジグを表わす。
【図１９】他の実施例における管探索用ロッドを挿入するためのジグを表わす。
【発明を実施するための形態】
【００２６】
好ましい実施例に関する以下の説明自体は、単なる例示にすぎず、本発明、その応用、又はその利用を限定することを意図するものではない。
【００２７】
本発明は、一つには、例えば固定アンカー（stable anchor）として又は適切に位置決めするための手段として腸骨管を利用することによって、寛骨臼インプラント、特に多孔オーグメント又はプロテーゼを受容するための寛骨臼の領域を準備するための方法を提供する。本発明における方法は、比較的高い信頼性を以て寛骨臼インプラントを位置決めするために及び／又は取り付けるために利用可能な且つ傷を付けずに繰り返し認識可能な、解剖学的目印（anatomical landmark）として腸骨管を利用する。本明細書では、“寛骨臼インプラント”との用語は、限定されることなく、多孔性金属、多孔オーグメント、準多孔オーグメント、非多孔オーグメント、寛骨臼ケージ、寛骨臼シェル、寛骨臼ライナ、及び寛骨内又はその周囲に移植するように構成されている装置又はその一部分のうち任意の１つ以上のものを含んでいるものとして利用される。本発明における方法は、準備された腸骨管に挿入するように構成されているステム部分を有しているインプラントと共に、特に失われた若しくは障害を有している骨を構築するための“基礎（foundation）”を形成するインプラントと共に利用する際に、特に優位である。本発明における寛骨臼インプラントとして、可能であればセメントレスインプラントを利用することが望ましいが、セメントを利用する場合もある。
【００２８】
本発明の有用性は寛骨臼に限定される訳ではなく、（例えば外傷の場合における）肩の関節形成にも有用である。
【００２９】
図１ａ〜図１ｊは、一の実施例における寛骨臼領域を準備するための方法を表わす。図１ａでは、腸骨１０の寛骨臼１２が準備されている。管探索用カニューレ２２は、当該実施例では案内ロッドであるが、そうでなければピン、リーマ、又は腸骨管内に延伸する他の方向性ツール（directional tool）であり、案内ロッド挿入用ジグ２０を介して腸骨１０の管１１内に位置決めされている。案内ロッド挿入用ジグは、保持するためのハンドル２４と、寛骨臼１２内に受容される位置決め端部２６とを有している。
【００３０】
案内ロッド挿入用ジグ２０は、案内ロッド２２が腸骨１０の髄内管１１と位置合わせされるまで円状に移動される。その後、案内ロッド２２は、衝撃力を利用することによって、又は案内ロッド２２にセルフタップネジチップ１４（self-drilling tip）を設けることによって髄内管１１内に挿入される。代替的には、案内ロッド挿入用ジグ２０は、別のステップにおいて、案内ロッド２２のために事前に穿孔するために利用される。
【００３１】
図１ｂは、案内ロッド２２を囲んで滑動する挿入可能なリーマ３０を利用することによって案内ロッド２２をリーマ加工するステップを表わす。図面には表わさないが、案内ロッド２２を利用しない場合には、リーマ３０を挿入する必要がない。このような場合には、外科医は単純にリーマを方向付けて、リーマを髄内管１１内部にそのまま残せば良い。リーマ３０は、骨を除去することによって腸骨管１１を切開する（open up）ことを補助する切削面１６を有している。異なる大きさの直径を有している一連のリーマ３０が、様々な患者に適合するように設けられている。また、深さマーキング表示が、除去された骨の深さを示すためにリーマに設けられている。
【００３２】
リーマ加工が完了した後に、例えば挿入式ブローチ又はラスプ４４のような腸骨を除去するための非回転式手段が、図１ｃに表わすようにリーマ３０を囲むように載置される。従来、大腿骨ステムブローチ及び上腕骨ステムブローチに適合しているブローチ４４が、押圧面４２を有しているブローチハンドル４０に接続されているか、又は該ブローチハンドルと一体になっている。図示しないが、案内ロッド２２及びリーマ３０が利用されない場合（例えば骨粗鬆症になっている骨の場合）には、ブローチ４４を挿入する必要がない。異なる形状及び大きさを有している一連のブローチ４４又はブローチ４４の一式が、後述するように、様々な患者、特異な症例、及び／又は左側若しくは右側の寛骨臼領域に適合させるために準備されている。
【００３３】
ブローチ４４が、腸骨管１１内に嵌入される一方、案内ロッド２２及びリーマ３０によって案内される。嵌入５０する前に、ブローチ４４が、リーマ３０及び案内ロッド２２に対して径方向に方向付けられる。嵌入５０した後に、ブローチ４４が、図１ｅに表わすようにブローチ４４又はブローチハンドル４０に作用する引き抜き力５２によって、管１１から取り外される。ブローチ４４を取り外すことによって、所定の寛骨臼インプラント６０を受容するように構成されている骨孔１８が腸骨１０内に形成される。寛骨臼インプラント６０は、例えば図面に表わす寛骨臼プロテーゼ又は多孔オーグメントのステムである。骨孔１８は、好ましくは腸骨管１１内に形成されており、骨孔の境界は、好ましくはブローチ４４によって曝露された腸骨１０の内皮質骨によって形成されている。その後に、寛骨臼インプラント６０は、骨孔１８内に挿入され、摩擦嵌合又はセメントによって固定される。別のインパクタ（図示しない）又はブローチハンドル４０が、寛骨臼インプラント６０を骨孔１８内に固定することを補助する。
【００３４】
次に、例えば寛骨臼ケージ、寛骨臼シェル８２や寛骨臼ライナ８４のような寛骨臼要素８０が準備され、インプラント６０を囲むように据え付けられる。幾つかの実施例では、骨セメント及び／又は骨移植材料７０を準備された寛骨臼領域に提供することが望ましい。骨セメント及び／若しくは骨移植材料７０の代替として、又は骨セメント及び／若しくは骨移植材料７０と組み合わせて、海綿ネジ（cancellous screw）、皮膚ネジ（cortical screw）、ペグ、ワイヤ、又はケーブル（図示しない）が、寛骨臼要素８０，８２，８４を寛骨臼領域にさらに固定するために利用される。
【００３５】
図２ａ〜図２ｊは、他の実施例における寛骨臼領域を準備する方法を表わす。図２ａは、腸骨１０の寛骨臼１２を表わす。管探索用案内ロッド２２が、案内ロッド挿入用ジグ２０を介して腸骨１０の管１１内に位置決めされる。異なる大きさの直径を有している一連の案内ロッド２２が、様々な患者に適応するように設けられている。また、深さマーキング表示が、除去された骨の深さを示すために案内ロッドに設けられている。案内ロッド挿入用ジグは、保持するためのハンドル２４と、寛骨臼１２内に受容される位置決め端部２６とを有している。案内ロッド挿入用ジグ２０は、案内ロッド２２が腸骨１０の髄内管１１と位置合わせされるまで円状に移動される。その後に、案内ロッド２２は、嵌入力を利用することによって、又は案内ロッド２２にセルフタップネジチップ１４を設けることによって髄内管１１内に挿入される。代替的には、案内ロッド挿入用ジグ２０は、別のステップにおいて案内ロッド２２のための事前に穿孔するために利用される。図２ｂは、案内ロッド挿入用ジグ２０を取り外し、案内ロッド２２をそのまま残すステップを表わす。
【００３６】
案内ロッドの挿入が完了した後に、例えば挿入式ブローチやラスプ４４のような腸骨を除去するための非回転式手段が、図２ｃに表わすように案内ロッド２２を囲むように載置される。従来、大腿骨ステムブローチ及び上腕骨ステムブローチに適合しているブローチ４４が、押圧面４２を有しているブローチハンドル４０に接続されているか、又は該ブローチハンドルと一体になっている。図示しないが、案内ロッド２２が利用されない場合（例えば骨粗鬆症になっている骨の場合）には、ブローチ４４を挿入する必要がない。異なる形状及び大きさを有している一連のブローチ４４又はブローチ４４の一式が、後述するように、様々な患者、特異な症例、及び／又は左側若しくは右側の寛骨臼領域に適合させるために準備されている。
【００３７】
ブローチ４４が、腸骨管１１内に嵌入される一方、案内ロッド２２によって案内される。嵌入５０する前に、ブローチ４４が、リーマ３０及び案内ロッド２２に対して径方向に方向付けられる。嵌入５０した後に、ブローチ４４が、図２ｅに表わすようにブローチ４４又はブローチハンドル４０に作用する引き抜き力５２によって、管１１から取り外される。ブローチ４４を取り外すことによって、所定の固定式インプラント６０を受容するように構成されている骨孔１８が腸骨１０内に形成される。インプラント６０は、例えば図面に表わす寛骨臼プロテーゼ又は多孔オーグメントのステムである。骨孔１８は、好ましくは腸骨管１１内に形成されており、骨孔の境界は、好ましくはブローチ４４によって曝露された腸骨１０の内皮質骨によって形成されている。その後に、インプラント６０は、骨孔１８内に挿入され、摩擦嵌合又はセメントによって固定される。別のインパクタ（図示しない）又はブローチハンドル４０は、インプラント６０を骨孔１８内に固定することを補助する。
【００３８】
次に、例えば寛骨臼ケージ、寛骨臼シェル８２や寛骨臼ライナ８４のような寛骨臼要素８０が準備され、インプラント６０を囲むように据え付けられる。幾つかの実施例では、骨セメント７０を準備された寛骨臼領域に提供することが望ましい。骨セメント７０の代替として、又は骨セメント７０と組み合わせて、海綿ネジ、皮膚ネジ、ペグ、ワイヤ、又はケーブル（図示しない）が、寛骨臼要素８０，８２，８４を寛骨臼領域にさらに固定するために利用される。
【００３９】
図３は、腸骨の腸骨管領域を表わす正面から見た斜視図（frontal coronal view）である。図３は、本発明方法における寛骨臼プロテーゼを移植する前における、手術前の患者の状態の一例を概略的に表わす。以前から存在する大腿骨頭プロテーゼ８６′が、寛骨臼１２の磨り減った軟骨と関節接合している（すなわち、股関節が半関節形成されている）。腸骨１０の腸骨管１１の固定部分１５は、大腿骨頭プロテーゼ８６′の上方に位置している。寛骨臼インプラントの大きさ及び形状は、手術前のテンプレーティングに基づいて選定される一方、これを考慮して腸骨１０の髄内管１１の内面１８との圧入状態を維持している。
【００４０】
図４は、図１ａ〜図２ｊに表わす方法のステップを利用することによって移植された、本発明の一の実施例における寛骨臼プロテーゼの前方から見た斜視図である。腸骨管１１を準備した後に、固定式インプラント６０が管１１の壁１８内に挿入され圧入される。図４に表わす実施例では、インプラント６０は多孔オーグメントである。その後に、第１の骨セメント及び／又は骨移植材料の被膜７０′が、インプラント６０の頂部を覆うように、該インプラントの側方に、又は該インプラントの一部分に隣接するように寛骨臼領域１２に適用される。例えば、内側の細切除された骨移植片が、オーグメント６０に配設されている。
【００４１】
その後に、例えば（図示する）寛骨臼ケージのような寛骨臼要素８０が、第１の被膜７０′を覆うように適用される。寛骨臼ケージ８０は、安定化させるために１つ以上のフランジ８０′を備えており、固定を向上させるためにネジ取付手段として機能する１つ以上の開口部８０″を、又は骨セメント及び／若しくは骨移植材料の被膜７０′を嵌合するための単なる表面をさらに備えている。寛骨臼ケージ８０は、寛骨臼ライナ８４及び／又は寛骨臼ライナ８４を寛骨臼ケージ８０に結合する骨セメント層７０″を支持するために、フード又はバットレスを備えている場合がある。
【００４２】
その後に、例えば寛骨臼ライナ８４や寛骨臼シェルのような１つ以上の付加的な寛骨臼要素が、セメントで接合された寛骨臼要素８０に固定される。寛骨臼要素８０を覆うように適用された１つ以上の骨セメント及び／又は骨移植材料の被膜７０″によって、１つ以上の付加的な寛骨臼要素８４を固定することができる。被膜７０′，７０″のうちいずれか一方又は両方が、１つ以上の他の固定手段によって代替される場合がある。該固定手段としては、摩擦嵌合、ネジ、ペグ、スパイク、ワイヤ、骨基質（例えばミネラル化されたもの及び／又は脱ミネラル化されたもの）、及びクランプが挙げられるが、これらに限定される訳ではない。特に図示の実施例では、寛骨臼シェルは利用されておらず、その代わりに寛骨臼ライナ８４が寛骨臼ケージ８０に直接固定されている。しかしながら、寛骨臼シェル８２は、寛骨臼ケージ８０と寛骨臼ライナ８４との間において利用される。
【００４３】
図５ａは、腸骨を除去するための非回転式手段のための様々な断面形状のうち幾つかの例を表わす。例えばラスプやブローチのような腸骨を除去するための非回転式手段は、任意の数の幾何学的形状を有している。幾何学的形状は、自身の長さ方向に沿った様々な位置において１つ以上の異なる断面を有している。周囲輪郭としては、例えば八角形１０２や台形１０２′のような多角形、及びＢ−スプライン形状１０２"が挙げられる。
【００４４】
図５ｂは、腸骨を除去するための非回転式手段の、様々な挿管された断面形状のうち幾つかの例を表わす。案内ロッド２２又はリーマ３０が利用される場合には、ブローチの長さに亘って貫通して延在している中央開口部が、ブローチを腸骨１０の髄内管１１内部に向かって方向付けて案内するために利用される。該中央開口部は、押出加工で成形可能な任意の断面形状を有している。該断面形状としては、例えば円、長円１０４のような湾曲した形状、及び例えば三角形１０４″、長方形１０４′や六角形１０４′′′のような多角形状が挙げられるが、これらに限定される訳ではない。
【００４５】
図６は、本発明の幾つかの実施例における、遠位において収束しているテーパ状ブローチの等角投影図である。ブローチ１１０には、開口部１１２が形成されていてもされていなくても良く、１つ以上の収束面１１１が形成されている。該収束面は、平坦である場合がある。
【００４６】
図７は、本発明の幾つかの実施例における、切断面を有しているブローチの等角投影図である。図７に表わす寛骨臼ブローチ１１０には、開口部１１２が形成されていてもされていなくても良く、滑らかな面１１３，１１３′又は切削面１１４，１１４′が所々に形成されている。切削面１１４，１１４′は、整形外科に関する技術分野において既知である。
【００４７】
図８は、本発明の幾つかの実施例における、遠位において収束していると共に湾曲しているテーパ状ブローチ１１０の等角投影図である。ブローチ１１０は、１つ以上の収束面１１５，１１６を有している。該収束面のうち少なくとも１つの収束面が、少なくとも１つの平面内において湾曲している。
【００４８】
図９は、本発明の幾つかの実施例における、湾曲しているテーパ状ブローチ１１０の等角投影図である。ブローチ１１０は、収束面１１７，１１８を有している。該収束面のうち少なくとも１つの収束面が、横断面において湾曲している。
【００４９】
図１０〜図１３は、本発明の幾つかの実施例におけるブローチ、ラスプ、オーグメント、及び寛骨臼インプラントのステム等の、実施可能な形状を表わす。図１０〜図１３は、腸骨１０の髄内管内に容易に挿入するために近位側の形状よりも小さい遠位側の形状１２８を有していてもそうでなくても良い、径方向に関して非対称な形状１２０，１２２，１２４，１２６を表わす。形状１２０，１２２，１２４，１２６は、同一の近位側の形状と遠位側の形状１２８とを有しており、偏心して又は一様に押し出されている。形状１２０，１２２，１２４，１２６は、オーグメント１３０のみに設けられているか、又は一体化された寛骨臼インプラント１２１，１２５のステム１２０，１２６に設けられている。代替的には、形状１２０，１２２，１２４，１２６は、接続手段１２７，１２９を介して別の寛骨臼インプラント１２３に接続するためのステム１２４として設けられている。接続手段１２７，１２９としては、セメント、モールステーパ、圧入、ネジインターフェース、雄雌式ネジ接続、及びボスに螺入された別のネジ等が挙げられるが、これらに限定される訳ではない。接続手段１２９は、代替的な利用を、例えば寛骨臼領域の一部分を準備するための他の手術器具を取り付ける又は位置合わせするための手段を提供する。
【００５０】
図１４ａは、腸骨の第１の側面において腸骨管内に移植するための、解剖学的に形成されたインプラントトライアル又はオーグメント１３０の一例を表わす。オーグメント１３０は、破線で表わすより大きなインプラント１３８のより小さな部分である。例えば、オーグメント１３０は、セメント製バットレスとして機能する一体化されたフランジを有している場合がある。また、オーグメント１３０が、寛骨臼シェルのステム部分である場合がある。図１４ａに表わす実施例では、オーグメント１３０の外面１３２が、髄内管１１が準備された後に、オーグメント１３０と髄内管１１との間における皮質骨及び／又は海綿骨による接続を最大限に高めるように構成されていることが望ましい。オーグメント１３０には、セメントによる固定が必要ないように多くの孔が形成されていることが望ましいが、他の表面の組織についても同様である。例えばオーグメント１３０が、トライアルを減らす際にトライアルオーグメントとして利用可能とされる場合には、表面の組織が、容易に挿入及び摘出するように滑らかになっている場合がある。
【００５１】
図１４ｂは、第１の側面と相違する腸骨の第２の側面において腸骨管１１を準備するための、解剖学的に形成されたブローチ又はラスプ１３４の一例を表わす。ブローチ又はラスプ１３４は、例えば大きさ、タイプ、患者のどちら側か、シリアル番号、製造業者等のような情報を医師に伝達する表示１４０を備えている。ブローチ１３４は、図１ｃ、図１ｅ、図２ｃ、及び図２ｅに表わすようにブローチハンドル４０と一体に作られているか、又はブローチ又はラスプ１３４をブローチハンドル４０から取り外し可能な結合手段１４２を有している場合がある。患者が例えばＣＴ、ＭＲＩやＸ線のような放射エネルギを利用することによってスキャンする場合に、カスタマイズされたオーグメント１３０とブローチ１３４とが、欠陥を充足させるために医師に提供される場合がある。
【００５２】
図１５は、本発明の幾つかの実施例における方法のステップを表わす概略的なフローチャートである。特に図１５は、図１ａ〜図１ｊに表わす方法のステップを示す。任意に、外科医が管探索用案内ロッド２２を腸骨１０の髄内管１１内部に載置するステップ２０２が実行される。外科医が管探索用案内ロッド２２を利用する場合には、ステップ２０４において、挿入されたリーマ３０が案内ロッド２２を囲むように配設される。その後に、ステップ２０６において、髄内管１１がブローチングに十分な程度に髄内管１１を拡開するために、必要に応じてリーマ加工される。他の手術器具が、案内ロッド２２又はリーマ３０に取り付けられるか、又は案内ロッド２２又はリーマ３０から延在する場合がある。リーマ加工ステップ２０６が、省略されるか、又は１つ以上の異なる大きさの直径を有しているリーマを利用するために繰り返される場合がある。腸骨１０の髄内管１１がリーマ加工２０６された後に、最後のリーマ３０が、ブローチ加工ステップ２１０において利用するために、管１１内部に置き去りにされる。管１１がブローチ加工２１０された後に、ブローチ４４が寛骨臼領域１２から取り外される。ブローチ加工ステップ２１０は、骨材料を腸骨管１１から除去するための、例えば以下に説明する骨刀や嵌入装置を利用することによって骨を除去するための他の非回転式手段に代替される場合がある。外科医が案内ロッド２２又はリーマ３０を利用しようとする場合には、ブローチが、案内ロッド又はリーマに対して位置合わせするための位置合わせ装置として機能させるために挿入され、案内ロッド２２及び／又はリーマ３０を囲んでブローチを滑動させるステップ２０８が実行される。案内ロッド２２及び挿入されたリーマ３０が手術のために利用されない場合には、ブローチ４４を挿入する必要はない。寛骨臼領域１２のさらなる準備ステップ２１２，２１４では、腸骨管１１内に１つ以上の“ザグリ穴（countersink）”を形成するために、より大きな直径を有しているリーマを様々な深さにおいて利用して案内ロッド２２の周囲がリーマ加工されるか、及び／又は寛骨臼領域１２の表面部分がブローチ加工される。
【００５３】
適切な骨孔１８が腸骨管１１内部に形成され、及び／又は、腸骨１０を囲んでいる場合には、トライアルリダクションステップ２１８を実行するために、ステップ２１６において、事前に挿入された器具（例えば管探索用案内ロッド２２、リーマ３０やブローチ４４）のうち幾つかの器具又はすべての器具が寛骨臼領域１２から取り外される。挿入されたオーグメントインプラント６０とトライアルオーグメントが利用される場合には、トライアルリダクションステップ２１８を実行する前に、器具２１６を取り除く必要がない。このような場合には、トライアルオーグメント及び／又はオーグメントインプラント６０が、案内ロッド２２、リーマ３０、又はブローチ４４を囲んだ状態で滑動し、外科手術の後半において器具が腸骨１０から取り外される。案内ロッド２２又はリーマ３０を髄内管１１内に置き去りにしたままトライアルするステップ２１８によって、外科医は、最良の嵌合と皮質による係合とを実現するために必要に応じて、容易に再リーマ加工し、トライアルオーグメントのサイズを大きくすることができる。トライアルリダクションステップ２１８は、任意のステップであり、対応する大きさ及び形状を有しているブローチが取り外し困難になった場合には省略しても良い。
【００５４】
最良の大きさ、形状、又は嵌め合いが確立された場合に、１つ以上のトライアルオーグメントが取り外され、１つ以上のインプラントオーグメント６０が取り外されたトライアルオーグメントの位置２２０内に挿入される。その後に、ステップ２２４において、セメント７０が、挿入されたオーグメント２２２、寛骨臼ケージ８０、又はセメント７０′に取り付けられている他の寛骨臼要素（例えば寛骨臼シェル）を覆うように適用された後に、ステップ２２６において、寛骨臼ライナ８４又は他の寛骨臼要素が、第２のセメント層７０″によって寛骨臼ケージ８０又は寛骨臼要素に固定される。セメント７０の代わりに、摩擦、ネジ、又は本明細書に記載されている任意の他の固定手段であっても良いことに留意すべきである。
【００５５】
例えば、腸骨１０内に挿入すべきオーグメント６０が異なるオーグメントから成るモジュール式組合体である場合には、又は不規則な形状若しくは非標準的な形状を有している場合には、１つ以上の異なるブローチ又はモジュール式連動／相互交換可能なブローチセグメント（図示しない）が逐次“積み重ねられ”、これによりオーグメント６０の不規則な形状又は非標準的な形状に対して形状的に相補的な独自のブローチが形成される。代替的には、前記不規則な形状を有している骨孔１８を形成するために様々な形状を有している一体式ブローチと共に、ステップ２１０，２１２が順次利用される。
【００５６】
他の実施例では、外科医が、ステップ２０６において案内ロッド２２の周囲をリーマ加工し、リーマ３０を髄内管１１内に残し、ステップ２１０において第１のブローチ４４を利用することによってリーマ３０を覆うようにブローチ加工し、第１のブローチ４４を取り除き、第２のブローチを利用することによって髄内管１１及び寛骨臼領域１２の内部に皿穴（countersink）をブローチ加工し（図示しない）、第２のブローチを取り除いた後に、平坦部を有している球状のザグリ部分を腸骨１０内に形成するために球状リーマ（図示しない）を利用することによって、第２のブローチによって形成されたザグリ穴に丸みを付ける。
【００５７】
図１６は、本発明の幾つかの実施例における方法のステップを表わす概略的なフローチャートである。特に図１６は、図２ａ〜図２ｊに表わす手術を実行する方法３００を示す。任意に、外科医が管探索用案内ロッド２２を腸骨１０の髄内管１１内に載置するステップ３０２が実行される。外科医が管探索用案内ロッド２２を利用する場合には、ステップ３０４において、挿入されたブローチ４４が管探索用案内ロッドを囲んだ状態で配設された後に、ステップ３０６において、管１１がブローチ加工される。他の準備された手術器具は、案内ロッド２２に取り付けられるか、又は案内ロッド２２から延在するように構成されている。ブローチ加工ステップ３０６は、腸骨管１１から骨材料を除去するための、例えば骨刀や嵌入装置を利用することによって骨を除去するための非回転式手段の代替となる。ステップ３０４において、ブローチ４４の１つ以上の開口部が、案内ロッド２２に対して位置合わせするための位置合わせ装置として一般に機能する。案内ロッド２２とブローチ４４とに割り又はキーが形成されている場合には、骨との最良の嵌合を実現させるために、嵌入５０の際にブローチ４４を腸骨に対して様々な径方向に方向付けることができる。案内ロッド２２が手術のために利用されない場合には、開口部がブローチ４４に形成される必要はない。ブローチ加工ステップ３０６が一旦完了すると、ステップ３０８において、ブローチ４４が寛骨臼領域１２から取り外される。寛骨臼領域１２のさらなる準備ステップ３１０，３１２では、腸骨管１１内に１つ以上の“ザグリ穴”を形成するために、リーマを様々な深さにおいて利用して案内ロッド２２の周囲がリーマ加工されるか、及び／又は寛骨臼領域１２の表面部分がブローチ加工される。オーグメントトライアルを利用する１つ以上のトライアルステップが、手術中であればいつでも、特にブローチ加工ステップ１ｃ〜１ｅ，２ｃ〜２ｅ若しくはリーマ加工ステップ１ｂの間に又はその後に、及び最後のオーグメント６０を移植する前に実行可能とされる。トライアルは、移植すべきオーグメントに基づいた形状及び大きさとされるが、容易に腸骨に挿入し腸骨から取り外すために、移植すべきオーグメントの外面の摩擦が大きくないように、又は移植すべきオーグメントの外面が多孔性を有していないように形成されていることが望ましい。
【００５８】
例えば、腸骨１０内に挿入すべきオーグメント６０が異なるオーグメントから成るモジュール式組合体である場合には、又は不規則な形状若しくは非標準的な形状を有している場合には、１つ以上の異なるブローチ又はモジュール式連動／相互交換可能なブローチセグメント（図示しない）が逐次“積み重ねられ”、これによりオーグメント６０の不規則な形状又は非標準的な形状に対して形状的に相補的な独自のブローチが形成される。代替的には、前記不規則な形状を有している骨孔１８を形成するために様々な形状を有している一体式ブローチと共に、ステップ３１０，３１２が順次に利用される。
【００５９】
他の実施例では、外科医が、ステップ３０６において第１のブローチ４４を利用して案内ロッド２２の周囲をリーマ加工し、第１のブローチ４４を取り除き、第２のブローチを利用して髄内管１１及び寛骨臼領域１２の内部にザグリ穴をブローチ加工した後に（図示しない）、平坦部を有している球状のザグリ部分を腸骨１０内に形成するために球状リーマ（図示しない）を利用することによって、第２のブローチによって形成されたザグリ穴に丸みを付ける。
【００６０】
適切な骨孔１８が腸骨管１１及び腸骨１０内に形成されると、ステップ３１４において、すべての器具（例えば管探索用案内ロッド２２、１つ以上のリーマ３０や１つ以上のブローチ４４）が寛骨臼領域１２から取り外される。例えばオーグメントトライアルのようなトライアル寛骨臼インプラントを利用したトライアルは、適切且つ確実に嵌め込み安定させるために骨孔１８内に挿入される。その後に、寛骨臼インプラント６０（例えばオーグメント）は、ステップ３１６において、準備された腸骨管１１の骨孔１８内に挿入され固定される。その後に、後続の寛骨臼要素８０，８２，８４，８６が、本明細書に開示される任意の手段を利用することによって、ステップ３１８，３２０，３２２に表わすように寛骨臼領域１２に取り付けられる。
【００６１】
本明細書で利用される“オーグメント（augment）”との用語は、制限されることなく、“多孔質骨−内部成長構造体（porous bone-ingrowth structure）”、“連続気泡多孔体網（porous, reticulated, open-cell network）”、“泡状の生体適合金属（biocompatible metal foam）”、“泡状のセラミック（ceramic foam）”（例えば多孔質ＰＥＥＫや多孔質ＵＨＭＷＰＥ）、“柱状構造体（trabecular construct）”、“多孔質表面組織（porous surface-texture）”（例えばブラスト処理又はエッチングによって形成された多孔質層）、“多孔質外層を有している中実の担体（solid substrate having a porous outer layer）”、“少なくとも１つの焼結粉体から成る多孔質コーティングを有している装置（device having a porous coating of at least one sintered powder(s)）”、“多孔質焼結粉体構造体（porous sintered powder construct）”（例えば球状及び／又は非対称な多孔質焼結粒子）、“溶射金属”（例えば溶射チタン）、“非多孔性構造体（non-porous construct）”（例えば高分子材料、金属材料、セラミック材料、又はこれらに類する物のブロック体）、及び多孔性同種移植片（porous allograft）のうち１つ以上の意味を備えている。ＨＡのような１つ以上の“生体活性（bio-active）”治療が１つ以上のオーグメントに適用可能とされる。
【００６２】
骨を除去するための非回転式手段として、ブローチやラスプ以外の器具が挙げられることに留意すべきである。例えば、骨刀（例えばボックスオステオトーム（box osteotomes））、パンチ、切断ブレード（例えば回転式鋸ブレードや往復式鋸ブレード）、嵌入式移植具、可撓性を有している切断具（例えばなべ小ネジを寛骨臼カップに挿入するために利用されるものに類似している、可撓性を有しているリーマや可撓性を有しているドリル）、湾曲した錐（例えば手動で両方向に回転する装置や手動で往復する装置）、手動式リーマ、テーパ状のリーマ、非テーパ状のリーマ、非挿入式Ｔ状ハンドルの髄内装置（例えばチャーンリ式錐（Charnley awls）や膝を置換する際に位置合わせのために利用される髄内ロッド）、湾曲したキューレット、手持式バー、（挿入式又は非挿入式）リーマ、及び振動式切断ツールが、ブローチ及びラスプと組み合わせて、又はブローチ及びラスプの代替として利用される。
【００６３】
外科医の中には配設困難な管１１を探索する者がいるので、ジグ４００は、該ジグがコンピュータ支援外科手術（ＣＡＳ）システム（図示しない）内において手術器具として利用されるように、図１７に表わすアレイ及び／又は基準マーカー４０４を備えている。ＣＡＳシステムは、案内ロッド２２を髄内管１１内に確実に且つ正確に配置するために、ジグ４００を腸骨１０に対して空間的に方向付けるために利用される。ジグ４００が正確に配置されると、該ジグは腸骨にピン結合されるか（ピン穴は図示しない）、又は案内ロッド２２がポータル４０２に挿入される際に摩擦によって所定位置に保持される。ポータル４０２は、案内ロッドのための案内面として機能し、ポータル４０２が案内ロッド２２と相補的に係合するような大きさ及び形状とされる限り、スリット、スロット、滑り面、又は開口部を備えている。案内ロッド２２及びポータル４０２の両方のために多様な断面形状を想到することができることに留意すべきである。ポータル４０２が、同様に良好に、例えばラスプ、ブローチ、カッター、ミルやリーマのような切断ガイドのためのガイドとして機能することにも留意すべきである。
【００６４】
代替的には、図１８に表わすジグ４１０が利用される。ジグ４１０は、ピン又は案内ロッド２２を髄内管１１内部に案内するように構成されている。ジグ４１０は、アウトリガー装置４１２とポータル４１８がその内部に形成されている底部４１６とを備えている。底部分４１６は、上方のドームに隣り合って寛骨臼１２内に配設されている。ジグの頂部４１４は、一般に上前腸骨棘１９（ASIC）の後方約３ｃｍの地点において、髄内管１１が延在している腸骨の縁部（iliac rim）に配設されている。
【００６５】
さらに、ＣＴスキャンと手術前計算機モデリング手法とが、固定するための１つ以上のオーグメント６０が充填可能な腸骨孔１１を明らかにする。患者は、従来式のＸ線手法又はコンピュータトモグラフィ（ＣＴ、ＭＲＩ）手法を利用してスキャンされる。そのスキャンから得られたデータ（例えば＊．ＤＩＣＯＭファイルフォーマット）は、ソフトウェア（例えばマテリアライズ社製ＭＩＭＩＣＳ（登録商標））によって事前処理された後に、患者の腸骨１０及び／又は寛骨臼領域１２の３ＤデジタルＣＡＤモデルを生成するために適切なモデリングソフトウェア（例えばＵｎｉｇｒａｐｈｉｃｓ／ＮＸ、ＣＡＴＩＡ、ＡｕｔｏＣＡＤ、Ｐｒｏ／Ｅｎｇｉｎｅｅｒ、ＳｏｌｉｄＷｏｒｋｓ等）にアップロードされる。患者の腸骨管１１が計測され定量化され、特定患者のためのオーグメント６０が該特定患者に最適に適合するように製造される。また、３Ｄデジタルモデルは、特定患者の寛骨臼領域１２の一部分の輪郭に適合する輪郭面４２６を有している特定患者向けにカスタムされたブロック４２０（custom patient-specific block）を形成するために利用される。特定患者向けにカスタムされたブロック４２０は、管探索用ピン又はロッド２２を腸骨管内部に案内するように構成されているポータル４２８をさらに備えている。輪郭面４２６は、管探索用ロッド２２を最適に配置するために患者の骨１０に対して相対的にポータル４２８を空間的に配置するための手段として機能する。上述のように、ポータル４０２は、例えばラスプ、ブローチ、カッター、ミルやリーマのような切断ガイドのためのガイドとして同様に良好に機能する。
【００６６】
代替的には、腸骨管１１は、ジグ２０，４００，４１０，４２０を必要とせず、管探索用ロッド２２を配置するために特定される。このことは、患者が過剰に肥満でない限りは、腸骨管１１を発見するために腸骨稜に沿って触診し、これにより上寛骨臼１２から腸骨翼に至るまで延在している腸骨１０の薄肉部分を発見することによって為される。
【００６７】
寛骨臼インプラント６０は、上述のように腸骨管１１内に圧入される。幾つかの例では、発明者は、Ｚｉｍｍｅｒ社製の＃７柱状金属オーグメントと共に実践する発明を実際に減らしている。しかしながら、腸骨１０の髄内管内に移植するのに適している任意のオーグメント６０が利用されることに留意すべきである。良好な皮質の嵌入及び安定を確実にするために、移植すべきインプラント６０に概略的に類似している大きさ及び形状の特徴を有しているオーグメントトライアル（図示しない）と共にトライアルすべきである。
【００６８】
本明細書に開示される方法は、著しく良好な固定とオーグメントを覆うようにケージを接着する安定した上支え壁とを確立するための驚異的に容易な方法を提供することに留意すべきである。本発明を利用した手術の際にはネジを必要としないので、周囲の骨の一体性が確保され、手術時間が低減される。本明細書に開示されているオーグメントを利用する髄内固定がネジによる固定を利用した如何なるタイプよりも明らかに良好であることが、発明者によって観察されている。
【００６９】
本発明の技術的範囲から逸脱することなく、対応する図面を参照して上述のように典型的な実施例を多様に改良することができるので、上述の説明に含まれ且つ添付図面に表わされるすべての事項が、限定的ではなく図示するものとして解釈されるべきである。例えば骨質が乏しい場合には、案内ロッドを挿入するステップ及び／又はリーマ加工するステップは、ブローチ加工する前に必要ない。従って、本発明の技術的範囲及び広さは、上述の典型的な実施例のうち任意の実施例によって限定されるべきではないが、特許請求の範囲のクレーム及びその均等物にのみ従って規定されるべきである。
【符号の説明】
【００７０】
１０  腸骨
１１  腸骨管（髄内管）
１２  寛骨臼
１４  セルフタップネジチップ
１５  固定部分
１６  切削面
１８  骨孔（内面）
２０  案内ロッド挿入用ジグ
２２  管探索用カニューレ
２４  ハンドル
２６  位置決め端部
３０  リーマ
４０  ブローチハンドル
４２  押圧面
４４  ブローチ（ラスプ）
５０  嵌入
５２  引き抜き力
６０  寛骨臼インプラント（オーグメント）
７０  骨移植材料
７０′骨セメント及び／又は骨移植材料の被膜
７０″骨セメント及び／又は骨移植材料の被膜
８０  寛骨臼要素
８２  寛骨臼シェル
８４  寛骨臼ライナ
８６′大腿骨頭プロテーゼ
１０２  八角形
１０２′台形
１０２″Ｂ−スプライン形状
１０４  長円
１０４′長方形
１０４″三角形
１０４′′′六角形
１１０  寛骨臼ブローチ（テーパ状ブローチ）
１１２  開口部
１１３  滑らかな面
１１３′滑らかな面
１１４  切削面
１１４′切削面
１１５  収束面
１１６  収束面
１１７  収束面
１１８  収束面
１２０  非対称な形状
１２１  寛骨臼インプラント
１２２  非対称な形状
１２４  非対称な形状
１２５  寛骨臼インプラント
１２６  非対称な形状
１２７  接続手段
１２８  遠位側の形状
１２９  接続手段
１３０  インプラントトライアル（オーグメント）
１３２  インプラントトライアル１３０の外面
１３４  ブローチ（ラスプ）
１３８  より大きなインプラント
１４０  表示
１４２  結合手段
【図１ａ】
0005762972.tif 000002
【図１ｂ】
0005762972.tif 000003
【図１ｃ】
0005762972.tif 000004
【図１ｄ】
0005762972.tif 000005
【図１ｅ】
0005762972.tif 000006
【図１ｆ】
0005762972.tif 000007
【図１ｇ】
0005762972.tif 000008
【図１ｈ】
0005762972.tif 000009
【図１ｉ】
0005762972.tif 000010
【図１ｊ】
0005762972.tif 000011
【図２ａ】
0005762972.tif 000012
【図２ｂ】
0005762972.tif 000013
【図２ｃ】
0005762972.tif 000014
【図２ｄ】
0005762972.tif 000015
【図２ｅ】
0005762972.tif 000016
【図２ｆ】
0005762972.tif 000017
【図２ｇ】
0005762972.tif 000018
【図２ｈ】
0005762972.tif 000019
【図２ｉ】
0005762972.tif 000020
【図２ｊ】
0005762972.tif 000021
【図３】
0005762972.tif 000022
【図４】
0005762972.tif 000023
【図５ａ】
0005762972.tif 000024
【図５ｂ】
0005762972.tif 000025
【図６】
0005762972.tif 000026
【図７】
0005762972.tif 000027
【図８】
0005762972.tif 000028
【図９】
0005762972.tif 000029
【図１０】
0005762972.tif 000030
【図１１】
0005762972.tif 000031
【図１２】
0005762972.tif 000032
【図１３】
0005762972.tif 000033
【図１４ａ】
0005762972.tif 000034
【図１４ｂ】
0005762972.tif 000035
【図１５】
0005762972.tif 000036
【図１６】
0005762972.tif 000037
【図１７】
0005762972.tif 000038
【図１８】
0005762972.tif 000039
【図１９】
0005762972.tif 000040